(57)【要約】      （修正有）【課題】  少なくとも２つの椎骨の安定化を目的とし、単一の補装具置に装着することが可能であり、同様に骨の連結ならびに２つの骨片の連結に使用することができる、骨接合のために取り外し自在な連結ねじ装置を提供する。【解決手段】  棒により他の接続螺子装置に連結可能な、骨接続のための取り外し自在な接続螺子装置であり、内螺子１３を内側に形成した上部１２と、外側に螺子１１を形成した底部１０と、底部１０の内壁に形成された溝と、開口部とを備えた円筒状の本体１を有し、内螺子１３にねじ込む外螺子を有する塞栓子２を、棒に固定可能なように形成する。【選択図】図１
2006314817.tif 000002
【特許請求の範囲】
【請求項１】
椎骨にねじ込まれ、棒により他の接続螺子装置に連結可能な、少なくとも２つの椎骨の安定化を目的とした骨接続のための取り外し自在な接続螺子装置であって、
軸を有し、内螺子を内側に形成した上部と、外側に外螺子を形成した底部と、該底部の内壁に形成した溝とを備えた、円筒状で中空の本体を有してなり、
前記溝は、前記底部の内壁に長手方向に切削して形成され、本体の側壁の厚みより大きい深さを有することにより、周辺の骨と癒着させるための骨組織が通過できるような開口部を形成した接続螺子装置において、
前記内螺子にねじ込む外螺子を有する塞栓子を備え、該塞栓子は、骨組織が中に取り込まれたら前記本体を閉じ、棒に固定可能なことを特徴とする接続螺子装置。
【請求項２】
前記塞栓子は、前記棒を固定するための、螺子切りした突起およびナットを有し、前記ナットは、前記棒を固定すべく前記突起にねじ込まれることを特徴とする請求項１記載の接続螺子装置。
【請求項３】
前記棒を固定するための溝が設けられていることを特徴とする請求項１または２記載の接続螺子装置。
【請求項４】
前記外螺子は、底部にセルフタッピング用の切り込みを有することを特徴とする請求項１から３のいずれか１項記載の接続螺子装置。
【請求項５】
少なくとも請求項１から４のいずれか１項記載の接続螺子装置と、棒とを備え、該接続螺子装置が前記塞栓子により前記棒に固定可能なことを特徴とするアセンブリ。
【発明の詳細な説明】
【技術分野】
【０００１】
本発明は、少なくとも２つの椎骨の安定化を特に目的としているがこれに限定されない人工骨の再装着可能な接合ねじ装置に関する。
【背景技術】
【０００２】
椎間板の修復不可能な部分では、椎間板を切除して補綴物に置換するか、または椎間板を固定する、即ち隣接する２つの椎骨の整復後に動かないようにする術式が存在する。
【０００３】
このような固定は一般にねじ止めした金属プレートを用いて行うが、骨組織の癒着を起すように関連する椎骨の間の骨組織の増加をねらった椎間補綴物を用いるのが望ましい。
【０００４】
このため上面と下面とが安定させようとする椎骨の骨体に固着するのに適し、かつ骨の癒着と増加が可能なように開いた移植補綴物を用いて、摺動しないようにねじ止めにより最終的に固定を行う。
【０００５】
この種の移植は、特に作成する部材が多数であるため移植が困難になるという不便を呈している。
【０００６】
この不便の幾つかを解消するため、特許文献１および特許文献２では、椎間板の部分の対向する２つの側面に対にして移植可能で、それぞれが内部の長手方向の棒によって螺旋形が保持され椎骨の骨体内で２つの椎骨の間に設けたねじを切った穴にねじ止めされるヘリコイド状のワイヤから構成される癒合ケージが提案され骨組織を前記ケージの内側に配置し骨組織を増加させることにより周辺の骨組織との癒着を図るようになっている。
【０００７】
しかしながら、この種のケージは、特に内部の長手方向の棒が鑞付けによりヘリコイド状のワイヤに固定されており、さまざまな処理にも関わらず鑞付け部分が徐々に酸化することによる不便を呈している。
【０００８】
単一または複数の椎骨領域の場合、特許文献３に開示されているように、この領域の高さで脊柱を安定させ、損傷した椎骨を跨ぎ両端で無傷の椎骨にねじにより固定されるプレートを使用する。
【０００９】
この種の装置は、多数の部材を作成する不便があり、他方で異なる軸にねじを配置する必要があるため、外科的処置が複雑化する。
【００１０】
さらに、ねじによる固定は、脊柱の応力がかかることで時間の経過により必ずしも安定せず、ひとつまたは複数のねじが空回りして患者にとって重大な結果を招きかねない。
【００１１】
これらの装置における別の重大な不便は、それぞれが１種類の修復を目的としたものであり、特殊な付属品を必要とすることである。
【特許文献１】米国特許出願第５，０２６，３７３号
【特許文献２】ヨーロッパ特許公開第０３６９６０３号
【特許文献３】フランス特許公開第２６５１９９２号
【発明の開示】
【発明が解決しようとする課題】
【００１２】
本発明は、少なくとも２つの椎骨の安定化を目的とし、単一の補装具で所定位置に装着することが可能であり、同様に骨の連結ならびに２つの骨片の連結に使用することができる、骨接合のために取り外し自在な連結ねじ装置を提供することにより既知の装置の各種の不便を解消することを目的とする。
【課題を解決するための手段】
【００１３】
本発明による連結ねじ装置は、単一部材の円筒状の本体からなり、前記円筒状の本体の内部に開いた開口部が螺子山の谷に設けてある外螺子が設けてあることと、前記円筒状の本体の一方の端部は内螺子を含み螺子切りしてある塞栓子の螺子止めによる装着ができるように形成されていることを特徴とする。
【００１４】
すなわち、椎間固定の場合、本発明の装置は２つの椎骨の間で予め穿孔し螺子切りした穴に螺子止めし、次にここへ骨組織を取り入れてから塞栓子を取り付けることを特徴とする。
【００１５】
本発明による装置の特定の実施態様において、塞栓子は円筒状の本体に螺子込める螺子が切ってあるのと対向する側に、これも螺子切りしてあり棒を装着できるように対角線上に溝が形成してある円筒状の突起を含み、前記突起に螺子止めするナットを用いて棒を保持する。
【００１６】
この実施態様により本発明による螺子を椎骨のそれぞれに固定し、棒によりこれらを連結することが可能になるが、これは前記螺子のそれぞれにはこの種の塞栓子を設けてあることによる。
【００１７】
この点に関して、一方では椎骨をひとつまたは複数のほかの骨と隣接させるまたは隔離することができ、他方で、棒は椎骨の骨体内または２つの椎骨の間に螺子止めした２つ以上の本発明による螺子により固定することができることがわかる。
【００１８】
本発明による装置の円筒状の本体は、望ましくはチタン等の生体親和性のある金属の円筒を切削し、サンドブラストまたは梨目加工で表面処理するかまたはチタンのプラズマまたはハイドロキシアパタイトで被覆する。またプラスチックや生体吸収性の材料からなるものとすることも可能である。
【００１９】
本発明による装置の塞栓子はチタン等の金属、またはプラスチックや生体吸収性の材料からなるようにしてもよい。
【発明の効果】
【００２０】
本発明による装置の装着には大がかりな器械的手段の実施を必要とせず、有利にも内視鏡的に実現することが可能である。
【００２１】
本発明の利点ならびに特徴は後述の詳細な説明と添付の図面を参照することでいっそう明らかになろう。図面は本発明の制限を意図しない各種の実施態様を図示している。
【発明を実施するための最良の形態】
【００２２】
図１および図２を参照すると、本発明による取り外し可能な螺子装置は、円筒状の本体１を含み、これの底部１０には外螺子１１が設けてあり、上部１２には内螺子１３が設けてある。
【００２３】
内螺子１３は骨組織を取り入れてから円筒状の本体を封止するために螺子２０を設けてある塞栓子２をねじ込むことができる。
【００２４】
塞栓子２は例えば六角形の凹面２１を含みねじ込むことができるようになっている。
【００２５】
円筒状の本体１に取り入れられた骨組織は骨にタッピングを実施する際に椎骨から取り出した骨組織とすることができることに注意すべきであろう。
【００２６】
円筒状の本体１の部分１０、１２の内壁に長手方向に３本の溝１４を切削し、等間隔に３個の突起１５が残るようにする。
【００２７】
溝１４は外螺子１１の谷１６に向って円筒状の本体の側壁の厚みより深さが大きく、螺子の底が切り取られて溝１４に対し外螺子１１の螺旋の間に開口部１７が作られるようにして、周辺の骨との癒着させるため骨組織が通過できるようにする。
【００２８】
円筒状の本体は使用する材料の性質によって異なる方法で実現することができる。たとえばチタン等の生体親和性の高い硬い材料の場合には、旋盤または電子ボール盤で実現することになるが、もっと硬度の低い材料、たとえばプラスチック材料または生体吸収性材料の場合には、射出成型によって実現することができる。
【００２９】
開口部１７の側壁１８はテーパー状にしておき、骨組織にタッピングした穴に円筒状の本体１をねじ込む際に側壁１８によりタッピングの螺子山先端部の破壊が起り、採取された骨組織が円筒状の本体１に取り入れられる。
【００３０】
この現象は、特に図３に示したような特定の形状を螺子山１１に設けることにより増加させることができる。
【００３１】
本実施の形態において、螺子山１１の断面形状は前述の実施態様の場合のように四角形であって円錐状ではなく、開口部１７の側壁が直線状で鋭利になるようにしてある。
【００３２】
予め適合するタッピングを行い、例えば深さを外螺子１１の深さより大きくとっておくことにより、ねじ込みの時に円筒状の本体１の完全な適合を実現しつつ大量の骨組織を取り入れることができる。
【００３３】
同様の目的で、螺子の谷の端部はセルフタッピング用の溝を含むことができ、この場合には予めタップをたてておく必要はなく、またはそれほど深くない螺子穴を作るだけでよく、採取される骨組織が円筒状の本体１の内部に入り込むようにすることができる。
【００３４】
図４を参照すると本発明の装置の他の形態において、塞栓子３は外螺子３０に対向する側に対角線方向に棒４を装着する溝３２を設けてある螺子を切った突起３１を含み、螺子切りした突起３１にねじ込まれるナット３３を用いて溝３２に棒４を固定することができるようになっていることが分る。
【００３５】
図５および図６を参照すると、本発明の装置の別の形態において、１本だけを図示してあるが２つの螺子１の接続はローレット加工を施し両端のそれぞれに穴５０を開けたプレート５を介して実現し、穴に塞栓子６の螺子切り部分６０を導入できるようにする。塞栓子６はプレート５のよりよい固定を行うために平坦で大きめの頭６１を含む。
【００３６】
本発明は実施態様の幾つかについて前述した説明に制限されるものではなく本発明の範囲を逸脱することなく幾つかの変更を行うことができることは明らかであろう。
【００３７】
本発明の装置の円筒状の部分は、装着の前または後でセメントをも充填することができる。
【００３８】
一方で本発明による装置は、棒、プレートまたは螺子切りした軸との固定システムを、螺子切りした部分のタッピングによって機械的に螺子止めすることにより骨接合材料の固定用螺子として用いることが可能である。
【図面の簡単な説明】
【００３９】
【図１】本発明による取り外し自在な螺子装置の第１の実施形態の平面図
【図２】図１の装置の上面図
【図３】本発明による装置の第２の実施形態の長手方向の断面図
【図４】本発明による装置の実施形態の変化の平面図
【図５】本発明による別の実施形態の上面図
【図６】本発明による別の実施形態の分解斜視図
【符号の説明】
【００４０】
１      本体
２      塞栓子
３      塞栓子
４      棒
５      プレート
６      塞栓子
１０    底部
１１    外螺子
１２    上部
１３    内螺子
１４    溝
１７    開口部
１８    側壁
２０    螺子
２１    凹面
３０    外螺子
３１    突起
３２    溝
３３    ナット
５０    穴
６０    螺子部分
【図１】
2006314817.tif 000003
【図２】
2006314817.tif 000004
【図３】
2006314817.tif 000005
【図４】
2006314817.tif 000006
【図５】
2006314817.tif 000007
【図６】
2006314817.tif 000008